(57)【要約】【目的】コンパクトな大きさでありながら、遊技球の移動動作に多くのバリエーションを与えることのできる遊技機の当たり振り分け機構を提供する。【構成】回転自在なサンギアと、サンギアを包囲してこれと同軸に回転自在なリングギアと、サンギア及びリングギアの間に噛合するとともに遊技球を保持し得る保持孔を有する遊星ギア体と、を含む遊星ギア機構を含む。更に、遊技球を遊星ギア体上に向けて供給する単一の導入部と、サンギアを駆動するサンギア駆動部と、リングギアを駆動するリングギア駆動部とを含む。更に、遊星ギア機構の近傍に設けられた遊技球の当選排出部と、保持孔に保持された遊技球を当選排出部へ排出する排出機構とを含む。【選択図】図２
2006334309.tif 000002
【特許請求の範囲】
【請求項１】
遊技機の遊技盤上に打ち出された遊技球についての当たり振り分け機構であって、
前記遊技球を導入する単一の導入部と、
回転自在なサンギアと、前記サンギアを包囲して前記サンギアと同軸に回転自在なリングギアと、前記サンギア及び前記リングギアの間に噛合するギア部と前記導入された遊技球を保持し得る保持孔を有する円筒体とを含む遊星ギア体と、を含む遊星ギア機構と、
前記サンギアを駆動するサンギア駆動部と、前記リングギアを駆動するリングギア駆動部とを含むギア駆動部と、
前記遊星ギア機構の近傍に設けられた前記遊技球の当選排出部と、
前記保持孔に保持された前記遊技球を前記当選排出部へ排出する排出機構とを含むことを特徴とする当たり振り分け機構。
【請求項２】
前記保持孔は、前記遊星ギア体を貫通する１つ以上の貫通孔を有することを特徴とする請求項１記載の当たり振り分け機構。
【請求項３】
前記排出機構は、前記貫通孔のうちの１の当選貫通孔が前記当選排出部近傍に位置したときに前記当選貫通孔の内部に出没自在である突出部材を含むことを特徴とする請求項２記載の当たり振り分け機構。
【請求項４】
前記当選貫通孔の近傍には、前記遊星ギア体の側部に向けた開口が形成されていることを特徴とする請求項３記載の当たり振り分け機構。
【請求項５】
前記遊星ギア体を少なくとも２つ以上含み、前記遊星ギア体の中心は前記リング体の中心軸を中心とした第１の円の上にあることを特徴とする請求項１乃至３のうちの１に記載の当たり振り分け機構。
【請求項６】
前記遊星ギア体を少なくとも３つ以上含み、前記遊星ギア体のうちの１つは前記遊星ギア体のうちの他の２つに接していることを特徴とする請求項５記載の当たり振り分け機構。
【請求項７】
前記遊星ギア体の接触部は前記リング体の中心軸を中心とした第２の円の上にあって、前記導入部が前記第２の円の近傍に設けられていることを特徴とする請求項６記載の当たり振り分け機構。
【請求項８】
前記遊星ギア体の接触部は前記リング体の中心軸を中心とした第２の円の上にあって、前記第１の円の半径と前記第２の円の半径との差に等しい距離だけ、前記遊星ギア体の中心から離間した位置に前記貫通孔の中心が位置するように前記貫通孔が設けられていることを特徴とする請求項６記載の当たり振り分け機構。
【請求項９】
前記遊星ギア体はベース板上にあって、前記貫通孔は前記遊技球の径よりも大なる径を有し前記ベース部材によって閉塞されていることを特徴とする請求項２乃至８のうちの１に記載の当たり振り分け機構。
【請求項１０】
前記ベース板を貫通する遊技球回収孔を更に有することを特徴とする請求項９記載の当たり振り分け機構。
【請求項１１】
前記遊技球回収孔はこれを閉塞するシャッタを有することを特徴とする請求項１０記載の当たり振り分け機構。
【発明の詳細な説明】
【技術分野】
【０００１】
本発明は、遊技機の遊技盤上に打ち出された遊技球についての当たり振り分け機構に関する。
【背景技術】
【０００２】
遊技場に設置されるパチンコ機などの遊技機において、特定の入賞口に入球した遊技球を遊技盤の中央に区画された入賞空間内に導いて、当該遊技球を「当たり」位置、若しくは、「はずれ」位置に振り分けて抽選を行う当たり振り分け機構を有する遊技機があった。
【０００３】
例えば、遊技機の遊技盤上に打ち出された遊技球を特定の入賞口を介して入賞空間内に導き、当該遊技球を平面回転する回転体によって「当たり」位置、若しくは、「はずれ」位置に振り分けて抽選を行う当たり振り分け機構があった。
【０００４】
例えば、特許文献１では、複数の貫通孔を有する一軸回転する回転体上に遊技球を落下させて、当該貫通孔の回転軸に対する角度位置によって、遊技球を「当たり」、若しくは、「はずれ」に振り分けて抽選を行う当たり振り分け機構が開示されている。また、遊技球にステージ上での動きのバリエーションを付与することを目的として、回転体の周囲にすり鉢状部を設けること、及び、回転体から上方へ向けて突出した突出部を設けることが併せて開示されている。
【０００５】
更に、回転体に設けられた保持孔に遊技球を一定時間保持する当たり振り分け機構も知られている。例えば、回転体には複数の遊技球を保持するための保持孔が設けられていて、このうちの特定の「あたり」孔には回転体の外側へ向けて高さを減じて傾斜した傾斜部が形成されている。それ以外の「はずれ」孔の底部には遊技球よりも大なる直径の貫通孔が形成されている。ここで、「はずれ」孔であっても回転体の裏側から裏板で閉塞されている故に、遊技球が回転体の裏側に落下することはない。かかる当たり振り分け機構において、入賞空間内に導かれた遊技球が一軸回転する回転体上に落下すると、当該遊技球はいずれかの保持孔に収容される。更に回転体が回転しつつ、「当たり」孔が「当たり」位置に近接すると、遊技球は保持孔の傾斜部に沿って落下するのである。つまり、当該遊技球は、「あたり」とカウントされるのである。一方、「はずれ」孔が所定の「はずれ」位置に到達すると、裏板の貫通孔の上に「はずれ」孔が位置して、「はずれ」孔の閉塞が解除される故、遊技球が回転体の下方に落下して回収されるのである。当該遊技球は、「はずれ」とカウントされるのである。
【特許文献１】特開２００５−１３１１２１
【発明の開示】
【発明が解決しようとする課題】
【０００６】
従来の当たり振り分け機構では、回転体の平面回転移動のみによって遊技球の移動方向に変化が与えられており、遊技者に単調な印象を抱かせてしまうことがあった。また、後者の従来例のように、特定の保持孔に位置する遊技球は、必ず「当たり」位置（若しくは「はずれ」位置）に搬送されて排出されるため、遊技者が回転体の傷や汚れなどで各々の保持孔を区別・特定できるようになってしまうと、遊技球が保持孔に落下した段階で当該遊技球が「当たり」とカウントされるのか、「はずれ」とカウントされるのかを区別できてしまうのである。つまり、当選の可否についての期待感の高揚に欠ける結果となってしまうのである。一方で、狭い入賞空間内には遊技球の移動方向のバリエーションを増やすための複雑な当たり振り分け機構を収納することはできなかった。
【０００７】
そこで、本発明では、コンパクトな大きさでありながら遊技球の移動動作に多くのバリエーションを与えながら当該遊技球を「当たり」位置、若しくは、「はずれ」位置に導くことのできる遊技機の当たり振り分け機構を提供する。
【課題を解決するための手段】
【０００８】
本発明による遊技盤上に打ち出された遊技球についての当たり振り分け機構は、前記遊技球を導入する単一の導入部と、回転自在なサンギアと、前記サンギアを包囲して前記サンギアと同軸に回転自在なリングギアと、前記サンギア及び前記リングギアの間に噛合するギア部と前記導入された遊技球を保持し得る保持孔を有する円筒体とを含む遊星ギア体と、を含む遊星ギア機構と、前記サンギアを駆動するサンギア駆動部と、前記リングギアを駆動するリングギア駆動部とを含むギア駆動部と、前記遊星ギア機構の近傍に設けられた前記遊技球の当選排出部と、前記保持孔に保持された前記遊技球を前記当選排出部へ排出する排出機構とを含むことを特徴とする。
【０００９】
かかる本発明による当たり振り分け機構によれば、遊技盤上に打ち出された遊技球を保持し得る保持孔をそれぞれ有する遊星ギア体を遊星ギア機構によって駆動している。これにより、遊技者が容易に遊技球の移動経路を予測できないほどの多数の回転動作パターンで遊星ギア体を運動させることが可能である。故に、複雑且つ多彩な遊技球の移動を達成することができて、遊技者は遊技球の移動を常に注視して、「当たり」を得られるかどうかについて期待感、抑揚感を最後まで保持し続け得るのである。しかも単一の導入部などを遊星ギア機構と組み合わせることで、遊技球の複雑な運動を非常にコンパクトな空間内において実現することができるのである。
【発明を実施するための形態】
【００１０】
本発明による当たり振り分け機構は、遊星歯車機構によって回転移動する複数の遊星ギア体の上にそれぞれ遊技球を保持するための保持孔を単数若しくは複数設けて遊技球をこの保持孔に収容するとともに、当該遊技球を遊星ギア体の移動によって所定の「当たり」位置、若しくは、「はずれ」位置へと導くものである。遊星ギア体は、遊星歯車機構によって「自転」及び／若しくは「公転」しながら移動可能である。つまり、遊星ギア体の多彩な運動によって、遊技球の移動動作には多くのバリエーションが与えられるのであり、遊技球の振り分け結果を遊技者が容易に予測できないのである。
【００１１】
以下に本発明による１つの実施例としての当たり振り分け機構を含む遊技機について、図を用いて詳細に説明する。
【００１２】
特に、図１に示すように、遊技機１の遊技盤１ａの中央部には、中央役物装置２が配置されている。中央役物装置２の内部の入賞空間２ａは、その外壁３によって遊技盤１ａの他の空間と物理的に隔てられている。中央役物装置２の近傍には１つ又は複数の入賞口４（図１では２つ）が設けられている。入賞口４は、例えば電動チューリップの如き可動入賞口であることが好ましい。入賞口４は図示しない連通通路によって中央役物装置２の入賞空間２ａ内に連通している。すなわち、遊技盤１ａに打ち出された遊技球のうち、入賞口４に入った遊技球のみが入賞空間２ａ内に導かれるのである。入賞空間２ａ内には、後述するような当たり振り分け機構１０が収容されている。
【００１３】
特に、図２に示すように、当たり振り分け機構１０は、入賞口４を介して中央役物装置２の入賞空間２ａ内に進入した遊技球を導入部１１を介してその内部に導く。当たり振り分け機構１０の内部に進入した遊技球は、「当たり」位置としての当選排出部１２、若しくは、「はずれ」位置としての当たり振り分け機構１０の下部の回収部１３へと振り分けられるのである。
【００１４】
更に詳細に本発明による１つの実施例としての当たり振り分け機構１０について説明する。
【００１５】
特に、図２及び図３に示すように、サンギア２１はギア歯２１ａを外側方向に向けた平ギアであって、ベース板１４と垂直方向に伸張する回転軸２２の周りに回動自在に軸支されている。サンギア２１は図示しないモーターなどを含むサンギア駆動部によって、回転軸２２の周りを時計方向Ａ及び反時計方向Ｂの両方向に回動可能である。ここで、以下において、当たり振り分け機構１０を上方から見たときに、回転軸に対して右回りを時計方向、左回りを反時計方向と定義する。サンギア駆動部はサンギア駆動制御部７１からの信号を受けてサンギア２１を駆動させる。
【００１６】
リングギア２５は円環状のギアであって、ギア歯をその外側及び内側方向に向けたそれぞれ外側ギア歯２５ａ及び内側ギア歯２５ｂを有する。リングギア２５は、後述するピニオンギア５１を含むリングギア駆動部（ピニオンギア５１のみ図示している）によって、回転軸２２の周りを時計方向Ａ及び反時計方向Ｂの両方向に回動可能である。つまりリングギア２５はサンギア２１と同軸に回転するのである。
【００１７】
更に、図４乃至図７を併せて参照すると、本実施例の当たり振り分け機構１０では、２個の遊星ギア体３１と１個の遊星ギア体４１との計３個の遊星ギア体が含まれている。
【００１８】
遊星ギア体３１は、外側方向にギア歯３２ａを向けたギア部３２と、ギア部３２の上にあって遊技球をその内部に保持し得る保持孔３３ａ及び３３ｂを有する円柱部３４とからなる。ギア部３２及び円柱部３４は一体に成型されており、ギア部３２のギア歯３２ａの先端よりも円柱部３４の外周端部がより外側にあることが好ましい。後述するように、「はずれ」となる遊技球を保持するための保持孔３３ａは上方から見て略Ｔ字状の遊星ギア体３１を上下方向に貫く貫通穴である。保持孔３３ａの底部、すなわちギア部３２の底部には、略Ｔ字状の３つの端部周辺に遊技球が通過できるほどの直径を有する貫通孔３５ａ、３５ｂ及び３５ｃが設けられるような形状を形成し得る嵌め込み部材３６が嵌合されている。また、嵌め込み部材３６において、遊星ギア体３１の中心位置には貫通孔３６’が設けられている。更に、後述するように、「当たり」となりうる遊技球を保持するための保持孔３３ｂは、遊技球が通過するほどの直径の当選貫通孔としての貫通孔３７を有しているとともに、貫通孔３７から円柱部３４の外側方向に向けた開口部を有している。貫通孔３７の周辺部からは、円柱部３４の外側方向、すなわち開口部の方向へ向けてその高さを減じた傾斜底部３８が形成されている。なお、４つの貫通孔３５ａ、３５ｂ、３５ｃ及び３７の中心は、遊星ギア体３１の中心軸３１ａを中心とした円３１ｂの上にある。
【００１９】
特に、図６及び図７を参照すると、遊星ギア体４１は、外側方向にギア歯４２ａを向けたギア部４２と、ギア部４２の上にあって遊技球をその内部に保持する保持孔４３を有する円柱部４４とを含む。遊星ギア体４１のギア部４２及び円柱部４４の直径は、遊星ギア体３１のギア部３２及び円柱部３４の直径と同じである。ギア部４２及び円柱部４４は一体に成型されている。保持孔４３は上方から見て略十字状の遊星ギア体４１を上下方向に貫く貫通穴である。後述するように、遊星ギア体４１は「はずれ」となる遊技球を保持する保持孔４３のみを有している。すなわち、遊星ギア体４１に保持された遊技球は、必ず「はずれ」位置１３に導かれるのである。保持孔４３の底部には、略十字状の４つの端部周辺に遊技球が通過するほどの直径を有する貫通孔４５ａ、４５ｂ、４５ｃ及び４５ｄが設けられるような形状の嵌め込み部材４６が嵌め込まれている。また、嵌め込み部材４６において、遊星ギア体４１の中心部には貫通孔４６’が設けられている。なお、４つの貫通孔４５ａ、４５ｂ、４５ｃ及び４５ｄの中心は、遊星ギア体４１の中心軸４１ａを中心とした円４１ｂの上にある。
【００２０】
特に、図２及び図３に示すように、２つの遊星ギア体３１及び１つの遊星ギア体４１は、サンギア２１及びリングギア２５の間にあって、それぞれのギア部３２及び４２をサンギア２１のギア歯２１ａ及びリングギア２５の内側ギア歯２５ａに噛合させている。これによって、２つの遊星ギア体３１及び１つの遊星ギア体４１の中心軸３１ａ及び４１ａは、回転軸２２を中心とした第１の円４７の上にあって、円柱部３４及び４４の一部においてそれぞれ他の２つの遊星ギア体と接触している。かかる接触部はやはり回転軸２２を中心とした第２の円１６上に位置するのである。ここで、第１の円４７の半径と、第２の円１６の半径との差をｄとする。各遊星ギア体３１及び４１は、それぞれ中心軸３１ａ及び４１ａから距離ｄだけ離間した位置に、貫通孔３５ａ、３５ｂ、３５ｃ、３７、４５ａ、４５ｂ、４５ｃ及び４５ｄの中心が位置するように、各貫通孔が形成されているのである。
【００２１】
ピニオンギア５１は、リングギア２５の外側近傍にあって、ベース板１４と垂直な方向に伸張する回転軸５１ａの周りに回動自在に軸支されている。ピニオンギア５１はリングギア２５の外側ギア歯２５ａと噛合していて、図示しないモータ等とともにリングギア駆動部を構成している。ピニオンギア５１はリングギア駆動制御部７２からの信号を受けて、回転軸５１ａの周りに時計方向Ａ及び反時計方向Ｂの両方向に回動可能である。すなわち、ピニオンギア５１の時計方向Ａへの回転により、リングギア２５は、回転軸２２の周りを反時計方向Ｂへ向けて回転する。逆に、ピニオンギア５１の反時計方向Ｂへの回転により、リングギア２５は回転軸２２の周りを時計方向Ａへ向けて回転する。なお、サンギア駆動部及びリングギア駆動部からなるギア駆動部は後述するように連携してサンギア２１及びリングギア２５を駆動する。
【００２２】
リングギア２５の近傍であってベース板１４には、「当たり」位置としての当選排出部１２へ遊技球を導くための誘導通路部材５３が固設されている。誘導通路部材５３はリングギア２５の上部からその外側方向に向けて高さを減じて傾斜した樋状部５３ａを有している。樋状部５３ａの外側端部近傍には貫通孔５３ｂが設けられていて、遊技球を当選排出部１２に排出するように開口している。詳細は後述するが、遊星ギア体３１の保持孔３３ｂと樋状部５３ａとは、遊星ギア体３１が所定位置に配置されることによって連続したスロープを形成し得るのである。
【００２３】
特に、図２を参照すると、誘導通路部材５３の近傍には、ベース部材１４を貫通する図示しない貫通孔が設けられていて、上方へ向けて突出自在な玉突き部材６１が貫挿されている。詳細は後述するが、遊星ギア体３１が所定位置に配置されたときに玉突き部材６１がベース板１４から遊星ギア体３１の当選貫通孔としての貫通孔３７の内部に向けて突出可能である。玉突き部材６１は、中央制御部７３からの信号を受けた玉突き部材昇降制御部７４によって上下方向へ移動する。
【００２４】
更に、ベース板１４において、遊星ギア体３１及び４１の中心軸３１ａ及び４１ａが通過する第１の円４７上の１点を中心として、遊星ギア体３１及び４１と同じ直径程度の貫通穴である遊技球回収孔４８が設けられている。遊技球回収孔４８はベース板１４の裏側からシャッタ４９によって閉塞されており、シャッタ開閉制御部７５からの信号を受けて、これが開動作すると遊技球回収孔４８を貫通させることができるのである。
【００２５】
遊星ギア体３１及び４１の上部には、ベース部材１４に固定されたカバー部材１５が設けられており、遊技球を遊星ギア体３１及び４１の上に導く通路としての導入部１１を有している。カバー部材１５は、誘導通路部材５３の近傍において切り欠き１５ａを有しており、切り欠き１５ａを介してカバー部材１５の内部の遊星ギア体３１及び４１の一部が露出し得る。なお、特に図３に示すように、導入部１１は、遊星ギア体３１及び４１の貫通孔３５ａ、３５ｂ、３５ｃ、３７、４５ａ、４５ｂ、４５ｃ及び４５ｄがもっとも回転軸２２に近接する位置における各貫通孔の中心を通る第２の円１６の上にあることが好ましい。上記した如く、第２の円１６上では遊星ギア体３１及び４１が接触しているため、遊星ギア体３１及び４１の間に隙間が形成されていない。故に、導入部１１から導かれた遊技球が遊星ギア体３１及び４１の間に落下してしまうことがないのである。なお、当たり振り分け機構１０は、遊星ギア体３１及び４１を１つずつ含む場合であっても良い。かかる場合などでは遊星ギア体３１及び４１の間に隙間が生じてしまう。かかる場合にあっては、遊星ギア体３１及び４１の間の隙間に遊技球が落下しないように、遊技球の落下タイミングを調整する落下制御装置を導入部１１に組み込むことが好ましい。すなわち、導入部１１から落下した遊技球は、遊星ギア体３１及び４１のいずれかの上に必ず落下するのである。
【００２６】
次に、本発明による１つの実施例としての当たり振り分け機構に含まれる遊星ギア体３１及び４１の動作及びその制御について説明する。
【００２７】
サンギア２１及びリングギア２５の回転速度及び回転方向をそれぞれ適宜、選択することで、遊星ギア体３１及び４１をそれぞれの中心軸３１ａ及び４１ａの周りで回転（自転）させ、及び／若しくは、回転軸２２の周りの第１の円４７に沿って回転（公転）させることができる。すなわち、遊星ギア体３１及び４１は、サンギア２１及びリングギア２５の２つのギアから２カ所において駆動力を得ることで、自転及び公転を行うのである。
【００２８】
まず、遊星ギア体３１及び４１を自転のみさせる場合にあっては、サンギア２１とリングギア２５とを回転軸２２の周りに互いに反対方向に回転させるとともに、（サンギア２１の回転速度）×（サンギア２１のギア歯２１ａの歯数）と、（リングギア２５の回転速度）×（リングギア２５の内側ギア歯２５ｂの歯数）とを等しくなるように制御すればよい。サンギア２１及びリングギア２５のそれぞれの回転方向の組み合わせを変えることにより、遊星ギア体３１及び４１の自転方向を変えることができる。
【００２９】
次に、遊星ギア体３１及び４１を公転のみさせる場合にあっては、サンギア２１とリングギア２５とを回転軸２２の周りに同一方向に回転させるとともに、（サンギア２１の回転速度）×（サンギア２１のギア歯２１ａの歯数）と、（リングギア２５の回転速度）×（リングギア２５の内側ギア歯２５ｂの歯数）とを等しくなるように制御すればよい。サンギア２１及びリングギア２５の回転方向を変えることにより、遊星ギア体３１及び４１の公転の方向を変えることができる。
【００３０】
次に、遊星ギア体３１及び４１を自転及び公転させる場合にあっては、（サンギア２１の回転速度）×（サンギア２１のギア歯２１ａの歯数）と、（リングギア２５の回転速度）×（リングギア２５の内側ギア歯２５ｂの歯数）とを異なるように制御すればよい。
【００３１】
【表１】
2006334309.tif 000003
【００３２】
例として、表１に歯数１２個のサンギア２１と、歯数４８個のギア部３２及び４２を有する遊星ギア体３１及び４１と、歯数１０８個の内側ギア歯２５ｂを有するリングギア２５との組み合わせによる遊星ギア体３１及び４１の動作を示した。ここで網掛け部は、同一の動作をより効率よく行うことができる組み合わせが他に存在し得ることを表している。
【００３３】
以上の如く、サンギア２１及びリングギア２５の回転速度及び回転方向をそれぞれ適宜、選択することで、非常に多くのバリエーションを持って遊星ギア体３１及び４１を回転運動させることができるのである。
【００３４】
次に、本発明による１つの実施例としての当たり振り分け機構の動作について図１乃至図８を参照しつつ説明する。
【００３５】
例えば、中央制御部７３は、電動チューリップの如き、一定時間だけ開放される可動入賞口４を開動作させるとともに、遊星ギア体３１及び４１をどのように運動せしめるかを決定した上で、上記した如くサンギア２１及びリングギア２５の回転速度及び回転方向を適宜、選択してサンギア駆動制御部７１及びリングギア駆動制御部７２に信号を送出する。なお、中央制御部７３における遊星ギア体３１及び４１の運動の選択は、常に一定であっても、またランダムであっても良い。更に、後述するように、遊技球について抽選を行っているかのように遊技者に印象を抱かせておきながら、当該遊技球の「当たり」若しくは「はずれ」をあらかじめ決定しておいて、その決定に従ってこれを「当たり」位置若しくは「はずれ」位置に導くように遊星ギア体３１及び４１の運動を選択しても良い。
【００３６】
入賞口４を介して、１つ又は複数の遊技球が中央役物装置２の入賞空間２ａ内に進入する。これら遊技球は、カバー部材１５に設けられた導入部１１を介して、順次、遊星ギア体３１及び４１の上に落下していく。
【００３７】
遊技球は、「はずれ」位置としての回収部１３に最終的に導かれ得る遊星ギア体３１の貫通孔３５ａ、３５ｂ及び３５ｃ、遊星ギア体４１の貫通孔４５ａ、４５ｂ、４５ｃ及び４５ｄ、又は、「当たり」位置としての当選排出部１２に導かれ得る遊星ギア体３１の貫通孔３７のいずれかに収容される。一定時間経過後、若しくは、導入部１１内に遊技球がなくなったことを検知すると、中央制御部７３は、サンギア駆動制御部７１及びリングギア駆動制御部７２に信号を送出して、遊星ギア体３１及び４１の回転運動をそのまま維持、若しくは、変化させて、遊星ギア体３１の保持孔３３ｂの１つが誘導通路部材５３の樋状部５３ａと一列となるような位置に遊星ギア体３１及び４１を自転及び／若しくは交点させて、最終的に回転運動を停止させる。
【００３８】
特に、図８に示すように、中央制御部７３は、玉突き部材昇降制御部７４に信号を送出して、玉突き部材６１を貫通孔３７の内部に突出させる。貫通孔３７の内部に遊技球が収容されていた場合にあっては、当該遊技球は、玉突き部材６１によって貫通孔３７から押し出されて傾斜底部３８に沿って落下して、誘導通路部材５３の樋状部５３ａに転動するのである。更に、当該遊技球は、樋状部５３ａの外側端部近傍の貫通孔５３ｂから当選排出部１２に落下して、図示しない検出部によってこれを「当たり」とカウントするのである。
【００３９】
続いて、中央制御部７３は、玉突き部材昇降制御部７４に再度、信号を送出して、玉突き部材６１を貫通孔３７の内部から元の位置に収容させる。これとともに、シャッタ開閉制御部７５に信号を送出して、シャッタ４９を開動作させてベース板１４の遊技球回収孔４８を開口させる。
【００４０】
中央制御部７３は、サンギア駆動制御部７１及びリングギア駆動制御部７２に信号を送出して遊星ギア体３１及び４１を回転軸２２の回りに公転させて、すべての遊星ギア体３１及び４１について、遊技球回収孔４８上を通過させる。このとき、遊星ギア体３１及び４１のすべての貫通孔３５ａ、３５ｂ、３５ｃ及び３７、遊星ギア体４１の貫通孔４５ａ、４５ｂ、４５ｃ及び４５ｄから内部に収容されていた遊技球が、「はずれ」位置としての当たり振り分け機構１０の下部の回収部１３に落下する。
【００４１】
すべての遊星ギア体３１及び４１が遊技球回収孔４８上を通過すると、中央制御部７３はシャッタ開閉制御部７５に信号を送出して、シャッタ４９を閉動作させてベース板１４の遊技球回収孔４８を閉塞させる。また、サンギア駆動制御部７１及びリングギア駆動制御部７２に信号を送出して遊星ギア体３１及び４１の回転運動を停止させる。
【００４２】
以上により、入賞空間２ａ内に導かれた一定数の遊技球の「当たり」若しくは「はずれ」の振り分けの１つのターンが終了する。
【００４３】
ここで、上記した実施例では、当たり振り分け機構１０に遊星ギア体３１が２つ含まれているため、「当たり」とカウントされ得る遊技球を収容し得る当選貫通孔としての貫通孔３７は２つある。しかしながら、玉突き部材６１の昇降は１ターンに１回だけであるから、当選貫通口としての貫通孔３７に収容された遊技球が必ず「当たり」とカウントされるとは限らない。かかる点においても、遊技者に「当たり」を得られるかどうかの期待感を１つのターンの最後まで抱かせることができるのである。
【００４４】
なお、導入部１１に遊技球の落下タイミングを調整するタイミング装置を付加することで、特定の貫通孔に遊技球を収容せしめることができる。かかる場合、当該遊技球の「当たり」若しくは「はずれ」の振り分けをあらかじめ決定しておきながら、遊技者には遊技球の抽選を行っているかのような印象を抱かせておくことができるのである。
【００４５】
上記した実施例では、遊技球が移動し得る領域と、サンギア２１及びリングギア２５を含むギア部の占める領域とがほぼ等しいのである。そしてこの近傍に導入部や排出部が設けられているのである。更に、サンギア２１及びリングギア２５はほぼ同一平面上に配置されている。故に、遊技球の移動パターンが多彩でありながら、当たり振り分け機構の大きさをコンパクトになし得るのである。
【図面の簡単な説明】
【００４６】
【図１】本発明の実施例による当たり振り分け機構を含む遊技機の図である。
【図２】本発明の当たり振り分け機構の斜視図である。
【図３】本発明の当たり振り分け機構の要部の平面図である。
【図４】本発明の当たり振り分け機構の要部の平面図である。
【図５】本発明の当たり振り分け機構の要部の斜視図である。
【図６】本発明の当たり振り分け機構の要部の平面図である。
【図７】本発明の当たり振り分け機構の要部の斜視図である。
【図８】本発明の当たり振り分け機構の要部の斜視図である。
【符号の説明】
【００４７】
１          遊技機
１ａ        遊技盤
２          中央役物装置
２ａ        入賞空間
４          入賞口
１０        当たり振り分け機構
１１        導入部
１２        当選排出部
１３        回収部
１４        ベース板
１６        第２の円
２１        サンギア
２１        ギア歯
２２        回転軸
２５        リングギア
２５ａ      外側ギア歯
２５ｂ      内側ギア歯
３１、４１  遊星ギア体
３１ａ、４１ａ                  中心軸
３２、４２  ギア部
３３ａ、３３ｂ、４３            保持孔
３４、４４  円柱部
３５ａ、３５ｂ、３５ｃ          貫通孔
３７        貫通孔（当選貫通孔）
３６、４６  嵌め込み部材
３８        傾斜底部
４５ａ、４５ｂ、４５ｃ、４５ｄ  貫通孔
４６        嵌め込み部材
４７        第１の円
４８        遊技球回収孔
４９        シャッタ
５１        ピニオンギア
５１ａ      回転軸
５３        誘導通路部材
５３ａ      樋状部
５３ｂ      貫通孔
６１        玉突き部材
７１        サンギア駆動制御部
７２        リングギア駆動制御部
７３        中央制御部
７４        玉突き部材昇降制御部
７５        シャッタ開閉制御部
【図１】
2006334309.tif 000004
【図２】
2006334309.tif 000005
【図３】
2006334309.tif 000006
【図４】
2006334309.tif 000007
【図５】
2006334309.tif 000008
【図６】
2006334309.tif 000009
【図７】
2006334309.tif 000010
【図８】
2006334309.tif 000011